(57)【要約】【課題】弱視の人や認知症の人にとって、スイッチプレートの機能及び押圧状態を把握し易くできるスイッチプレートを提供すること。【解決手段】スイッチプレート１Ａは、操作ハンドル４０の表面４０ｂを押圧することによって風呂場の照明器具を点灯させるものである。操作ハンドル４０の表面４０ｂの中央には、インクジェットプリンタによって風呂場を意味する風呂の絵柄４０ｃが付され、表面４０ｂの上側には「お風呂」の文字４０ｄが付され、表面４０ｂの下側には「ｂａｔｈｒｏｏｍ」の文字４０ｅが付されている。そして、表面４０ｂの中央には「ふろ」の点字４０ｆが付され、表面４０ｂの中央の右側には、操作ハンドル４０の押圧の目印になる円形凸状のポッチ４０ｇが付されている。【選択図】  図４
0003188049.tif 000002
【実用新案登録請求の範囲】
【請求項１】
操作ハンドルの表面を押圧することによって部屋の照明器具を点灯させるスイッチプレートにおいて、
前記操作ハンドルの表面には、照明器具が点灯する部屋を意味する文字と、前記文字を意味する点字とが付され、
前記操作ハンドルの表面の中央の右側には、前記操作ハンドルの押圧の目印になる凸状のポッチが付されていることを特徴とするスイッチプレート。
【請求項２】
請求項１に記載されたスイッチプレートにおいて、
前記操作ハンドルの表面には、照明器具が点灯する部屋を意味する絵柄がインクジェットプリンタによって付されていることを特徴とするスイッチプレート。
【請求項３】
請求項２に記載されたスイッチプレートにおいて、
前記点字及び前記ポッチは、前記操作ハンドルの表面に接着された透明の樹脂材であることを特徴とするスイッチプレート。
【請求項４】
請求項１乃至請求項３の何れかに記載されたスイッチプレートにおいて、
前記操作ハンドルは、複数の操作ハンドルに分割されていて、それぞれの操作ハンドルが異なる照明器具を点灯させるものであり、
前記それぞれの操作ハンドルの表面に、前記文字と前記点字と前記ポッチが付されていることを特徴とするスイッチプレート。
【請求項５】
操作ハンドルの表面を押圧することによって部屋の照明器具を点灯させるスイッチプレートにおいて、
前記操作ハンドルの表面には、照明器具を点灯させるスイッチプレートであることを認識させるための文字と、前記文字を意味する点字とが付され、
前記操作ハンドルの表面の中央の右側には、前記操作ハンドルの押圧の目印になる凸状のポッチが付されていることを特徴とするスイッチプレート。
【考案の詳細な説明】
【技術分野】
【０００１】
本考案は、操作ハンドルの表面を押圧することによって部屋の照明器具を点灯させるスイッチプレートに関し、特に、操作ハンドルの表面に文字と点字とポッチとが付されているスイッチプレートに関する。
【背景技術】
【０００２】
一般に、スイッチプレートは、図１に示すように、スイッチ本体１０と取付枠２０とプレート枠３０と操作ハンドル４０と外側プレート５０とが一体になって構成されていて、操作ハンドル４０の表面４０ｂ及び外側プレート５０の表面５０ｂが、視認できるようになっている。このスイッチプレート１の多くは無模様で構成されていて、外側プレート５０はプレート枠３０に対して比較的容易に脱着できるようになっている。そこで、近年、外側プレートの表面にデザインが施されているものが販売されていて、外側プレートを自分好みのデザインに変更することが行われている。
【０００３】
また、例えば下記特許文献１では、図９に示すように、スイッチプレート３０１に対してプレートカバー３０２で覆うことが提案されている。このプレートカバー３０２の表面３０２ａは予め装飾されていて、このプレートカバー３０２を取付けることによって、スイッチプレート３０１が汚れることを防止すると共に、スイッチプレート３０１の高級感を高めるようになっている。
【先行技術文献】
【特許文献】
【０００４】
【特許文献１】特開平１０−２１７７４号公報
【考案の概要】
【考案が解決しようとする課題】
【０００５】
ところで、従来から存在するスイッチプレートでは、弱視の人（眼鏡等の視力矯正器具を使用しても視力が０．０１以下の人）や認知症に人にとって、どの部屋の照明器具が点灯するものなのかが分かり難いという問題点があった。更に、スイッチプレートの操作ハンドルが押圧されているか否かを把握し難いという問題点もあった。一方、認知症の人にとってはスイッチプレートを見ても、そのスイッチプレート自体がどんな機能を果たすものなのかが容易に把握できないという問題点もあった。
【０００６】
そこで、本考案は、上記した問題点を解決すべく、弱視の人や認知症の人にとって、スイッチプレートの機能及び押圧状態を把握し易くできるスイッチプレートを提供することを目的とする。
【課題を解決するための手段】
【０００７】
本考案に係るスイッチプレートは、操作ハンドルの表面を押圧することによって部屋の照明器具を点灯させるものであって、前記操作ハンドルの表面には、照明器具が点灯する部屋を意味する文字と、前記文字を意味する点字とが付され、前記操作ハンドルの表面の中央の右側には、前記操作ハンドルの押圧の目印になる凸状のポッチが付されていることを特徴とする。
【０００８】
本考案に係るスイッチプレートによれば、操作ハンドルに例えば「お風呂」や「トイレ」の文字と、「おふろ」や「トイレ」を意味する点字が付されているため、風呂やトイレの照明器具を点灯させるスイッチプレートであることが把握し易い。更に、操作ハンドルの表面の中央の右側に凸状のポッチが付されているため、照明器具を点灯させるときにポッチが目印になり、暗闇であっても操作ハンドルを把握し易い。特に、点字とポッチの相乗効果により、弱視の人や認知症の人にとって、今どこの部屋の照明器具が点灯又は消灯しているのかを容易に把握させることができる。
【０００９】
また、本考案に係るスイッチプレートにおいて、前記操作ハンドルの表面には、照明器具が点灯する部屋を意味する絵柄がインクジェットプリンタによって付されていても良い。
この場合には、操作ハンドルの表面に付されている絵柄を見ることで、どの部屋の照明器具を点灯させるスイッチプレートなのかをより把握し易くできる。
【００１０】
また、本考案に係るスイッチプレートにおいて、前記点字及び前記ポッチは、前記操作ハンドルの表面に接着された透明の樹脂材であることが好ましい。
この場合には、点字及びポッチが透明であるため、点字及びポッチによって文字や絵柄が見え難くなることを防止できる。
【００１１】
また、本考案に係るスイッチプレートにおいて、前記操作ハンドルは、複数の操作ハンドルに分割されていて、それぞれの操作ハンドルが異なる照明器具を点灯させるものであり、前記それぞれの操作ハンドルの表面に、前記文字と前記点字と前記ポッチが付されていても良い。
この場合には、一つのスイッチプレートに複数の操作ハンドルがあっても、どの操作ハンドルがどの部屋の照明器具を点灯させるものなのかを把握し易くできる。
【００１２】
本考案に係るスイッチプレートは、操作ハンドルの表面を押圧することによって部屋の照明器具を点灯させるものであって、前記操作ハンドルの表面には、照明器具を点灯させるスイッチプレートであることを認識させるための文字と、前記文字を意味する点字とが付され、前記操作ハンドルの表面の中央の右側には、前記操作ハンドルの押圧の目印になる凸状のポッチが付されていることを特徴とする。
【００１３】
本考案に係るスイッチプレートによれば、操作ハンドルの表面に例えば「電気」や「照明」の文字と、「電気」や「照明」を意味する点字が付されているため、そのスイッチプレートがどんな機能を果たすものなのか把握し易い。更に、操作ハンドルの表面の中央の右側に凸状のポッチが付されているため、照明器具を点灯させるときにポッチが目印になり、暗闇であっても操作ハンドルを把握し易い。特に、点字とポッチの相乗効果により、弱視の人や認知症の人にとって、照明器具が点灯又は消灯しているのかを容易に把握させることができる。
【考案の効果】
【００１４】
本考案のスイッチプレートによれば、弱視の人や認知症の人にとって、スイッチプレートの機能及び押圧状態を把握し易くできる。
【図面の簡単な説明】
【００１５】
【図１】スイッチプレートの分解斜視図である。
【図２】スイッチプレートが壁面に取付けられている状態を示した側面図である。
【図３】パソコンとインクジェットプリンタを示した斜視図である。
【図４】第１実施形態のスイッチプレートの正面図である。
【図５】図４の操作ハンドルの中央を拡大した図である。
【図６】第２実施形態のスイッチプレートの正面図である。
【図７】第３実施形態のスイッチプレートの正面図である。
【図８】変形実施形態のスイッチプレートの正面図である。
【図９】従来においてプレートカバーがスイッチプレートに取付けられる状態を示した斜視図である。
【考案を実施するための形態】
【００１６】
＜第１実施形態＞
本考案に係るスイッチプレートの各実施形態について、図面を参照しながら以下に説明する。図１は、スイッチプレート１の分解斜視図である。図１に示すように、スイッチプレート１は、スイッチ本体１０と取付枠２０とプレート枠３０と操作ハンドル４０と外側プレート５０とが一体になって構成されている。但し、スイッチプレート１は、プレート枠３０と操作ハンドル４０と外側プレート５０のみで構成されていても良く、少なくとも操作ハンドル４０と外側プレート５０を備えていれば、その構成は適宜変更可能である。
【００１７】
スイッチ本体１０は、前面側（図１の上側）に押しボタン１０ａを有していて、この押しボタン１０ａが押圧されることによって接点を切り替えるスイッチ機構を内蔵している。取付枠２０は、略長方形状の枠体に形成されていて、図２に示すように、スイッチプレート１を壁面Ｈに取付ける金属製のものである。この取付枠２０は、中央に長方形状の開口２０ａを有し、この開口２０ａにスイッチ本体１０の前面側が挿入されるようになっている。
【００１８】
プレート枠３０は、取付枠２０と同様に略長方形状の枠体に形成されていて、取付枠２０に前面側から被せる合成樹脂製のものである。このプレート枠３０も、中央に長方形状の開口３０ａを有し、この開口３０ａにスイッチ本体１０の前面側が挿入されるようになっている。操作ハンドル４０は、図１に示すように、略長方形状の薄板に形成されていて、スイッチ本体１０の押しボタン１０ａを押圧する合成樹脂（ＰＳ樹脂）製のものである。
【００１９】
この操作ハンドル４０は、後面側に形成された係合片４０ａをスイッチ本体１０の取付片１０ｂに引っ掛けることで取付けられる。これにより、操作ハンドル４０を押圧すると、スイッチ本体１０の押しボタン１０ａが押圧されて、スイッチ機構の接点が切り替わり、照明器具が点灯又は消灯する。外側プレート５０は、略長方形状で薄い枠状に形成されていて、操作ハンドル４０を囲む合成樹脂（ＡＢＳ樹脂）製のものである。この外側プレート５０は、中央に開口５０ａを有し、周縁部がプレート枠３０に形成された段差部分３０ｂに脱着可能に取付けられる。
【００２０】
ところで、スイッチプレート１は、操作ハンドル４０の表面４０ｂ及び外側プレートの表面５０ｂが視認されるものの、無模様且つ平面である場合には、弱視の人や認知症の人にとって、スイッチプレート１の機能及び押圧状態が把握し難い。そこで、本出願人は、操作ハンドル４０の表面４０ｂに文字と点字とポッチと絵柄を付して、図４に示す新たなスイッチプレート１Ａを考案した。このスイッチプレート１Ａは、操作ハンドル４０の表面４０ｂが押圧されると風呂場の照明器具を点灯させるものであり、以下のように製造されている。
【００２１】
図３は、操作ハンドル４０の表面４０ｂに絵柄４０ｃと文字４０ｄ，４０ｅを付すためのインクジェットプリンタ７０及びパソコン６０を示した図である。インクジェットプリンタ７０は、ほとんど全ての材質の立体的形状物に対して、任意且つきめ細かいデザインを施すことができる専用のインジェットプリンタである。つまり、インクジェットプリンタ７０は、水平テーブルのオートセンサが印刷対象物の立体的形状を感知して印刷対象物の高さを自動で調整するため、立体的形状の表面を印刷することができるようになっている。
【００２２】
上述したインクジェットプリンタ７０及びパソコン６０を起動させて、「風呂」の絵柄をパソコン６０内に読み込む。そして、インクジェットプリンタ７０の設置台７０ａに、操作ハンドル４０の表面４０ｂが上向きになるように設置する。続いて、パソコン６０内にインストールされている画像処理ソフトを用いて、読み込んだ「風呂」の絵柄が操作ハンドル４０の表面４０ｂの中央に配置されるように設定する。更に、日本語の「お風呂」の文字が操作ハンドル４０の表面４０ｂの上側に横書きで配置されるように設定すると共に、英語の「ｂａｔｈｒｏｏｍ」の文字が操作ハンドル４０の表面４０ｂの下側に横書きで配置されるように設定する。
【００２３】
こうして、印刷の準備が完了した後に、モニタ６１に表示される印刷ボタンをクリックすることで、インクジェットプリンタ７０が作動する。これにより、図４に示すように、操作ハンドル４０の表面４０ｂに、「風呂」の絵柄４０ｃと「お風呂」の文字４０ｄと「ｂａｔｈｒｏｏｍ」の文字４０ｅが付される。絵柄４０ｃは表面４０ｂの中央に大きく示されているため、「ふろ」の絵柄４０ｃが一目で容易に分かる。また、日本語の「お風呂」と英語の「ｂａｔｈｒｏｏｍ」が上下に横書きで併記されているため、日本人と英語圏の人の両方に対して「ふろ」の意味を把握させることができる。つまり、より多くの人に対してスイッチプレート１Ａの機能が把握し易くなっている。
【００２４】
そして、インクが乾燥した後、操作ハンドル４０の表面４０ｂには、「ふろ」を意味する点字４０ｆとポッチ４０ｇが付されるようになっている。図５に示すように、「ふろ」を意味する点字４０ｆは、透明の樹脂材であって、操作ハンドル４０の表面４０ｂの中央に接着されている。点字４０ｆが表面４０ｂの中央に配置されている理由は、弱視の人にとって点字を一番把握し易い場所だからである。ポッチ４０ｇは、操作ハンドル４０の押圧の目印になるように円形凸状になっていて、表面４０ｂの中央の右側に接着されている。ポッチ４０ｇが表面４０ｂの中央の右側に配置されている理由は、一般的に表面４０ｂの中央の右側を押圧すると照明器具が点灯するようになっていて、弱視の人及び認知症の人にとって操作ハンドル４０が押圧されているか否かの状態が一番把握し易い場所だからである。更に、点字４０ｆ及びポッチ４０ｇが透明であるため、点字４０ｆ及びポッチ４０ｇによって文字４０ｄ，４０ｅが見え難くなることを防止している。点字４０ｆ及びポッチ４０ｇは表面４０ｂに強力に接着されていて、爪によるひっかけ等で容易剥がれないようになっている。
【００２５】
第１実施形態の作用効果について説明する。
第１実施形態のスイッチプレート１Ａによれば、操作ハンドル４０の表面４０ｂに、「お風呂」の文字４０ｄと、「ｂａｔｈｒｏｏｍ」の文字４０ｅと、「ふろ」を意味する点字４０ｆが付されているため、風呂場の照明器具を点灯させるスイッチプレートであることを把握し易い。更に、表面４０ｂの中央の右側に円形凸状のポッチ４０ｇが付されているため、照明器具を点灯させるときにポッチ４０ｇが目印になり、暗闇であっても押圧する表面４０ｂを把握し易い。特に、点字４０ｆとポッチ４０ｇの相乗効果により、弱視の人や認知症の人にとって、風呂場の照明器具が点灯又は消灯しているのかを容易に把握させることができる。こうして、このスイッチプレート１Ａは、障害者施設や老人ホーム等に設置することがより効果的であり、広く普及が見込めるものである。
【００２６】
＜第２実施形態＞
第２実施形態のスイッチプレート１Ｂについて、図６を参照して説明する。第２実施形態のスイッチプレート１Ｂは、第１実施形態のスイッチプレート１Ａと異なる部分を中心に説明し、同様の部分の説明は省略する。図６に示すように、スイッチプレート１Ｂの操作ハンドル４０Ａは、第１操作ハンドル４１と第２操作ハンドル４２に上下に分割されている。第１操作ハンドル４１は、表面４１ｂが押圧されると風呂場の照明器具を点灯させるようになっている。一方、第２操作ハンドル４２は、表面４２ｂが押圧されるとトイレの照明器具を点灯させるようになっている。
【００２７】
そして、第１操作ハンドル４１の表面４１ｂの中央に「風呂」の絵柄４１ｃが付され、表面４１ｂの上側に「お風呂」の文字４１ｄが横書きで付され、表面４１ｂの下側に「ｂａｔｈｒｏｏｍ」の文字４１ｅが横書きで付されている。また、表面４１ｂの中央に「ふろ」を意味する点字４１ｆが付され、表面４１ｂの中央の右側に円形凸状のポッチ４１ｇが付されている。一方、第２操作ハンドル４２の表面４２ｂの中央に「トイレ」の絵柄４２ｃが付され、表面４２ｂの上側に「トイレ」の文字４２ｄが横書きで付され、表面４２ｂの下側に「ｔｏｉｌｅｔ」の文字４２ｅが横書きで付されている。また、表面４２ｂの中央に「トイレ」を意味する点字４２ｆが付され、表面４２ｂの中央の右側に円形凸状のポッチ４２ｇが付されている。
【００２８】
第２実施形態の作用効果について説明する。
従来において、スイッチプレートの操作ハンドルが複数に分割されていて、それぞれの操作ハンドルが異なる照明器具を点灯させるものであり、且つそれぞれの操作ハンドルが無模様且つ平面である場合、弱視の人や認知症の人にとって各操作ハンドルの機能がより把握し難くなる。これに対して、第２実施形態のスイッチプレート１Ａによれば、弱視の人や認知症の人にとって、第１操作ハンドル４１を押圧すれば風呂場の照明器具が点灯し、第２操作ハンドル４２を押圧すればトイレの照明器具が点灯することを把握し易い。第２実施形態のその他の作用効果は、第１実施形態の作用効果と同様であるため、その説明を省略する。
【００２９】
＜第３実施形態＞
第３実施形態のスイッチプレート１Ｃについて、図７を参照して説明する。第３実施形態のスイッチプレート１Ｃは、第１実施形態のスイッチプレート１Ａと異なる部分を中心に説明し、同様の部分の説明は省略する。図７に示すように、スイッチプレート１Ｃは、そのスイッチプレート１Ｃが取付けられている部屋の照明器具を点灯させるものであって、操作ハンドル４３を押圧するとその部屋の照明器具が点灯するようになっている。
【００３０】
操作ハンドル４３の表面４３ｂの中央には、「電球」の絵柄４３ｃが大きく付されている。また、表面４３ｂの上側に「電気」の文字４３ｄが横書きで付され、表面４３ｂの下側に「ｌｉｇｈｔ」の文字４３ｅが横書きで付されている。これら絵柄４３ｃと文字４３ｄ，４３ｅは、認知症の人に対して、照明器具を点灯させるというスイッチプレート１Ｃの機能を把握し易くするためのものである。また、表面４３ｂの中央に「でんき」を意味する点字４３ｆが付され、表面４３ｂの中央の右側に円形凸状のポッチ４３ｇが付されている。
【００３１】
第３実施形態の作用効果について説明する。
従来において、スイッチプレートの操作ハンドルが無模様且つ平面である場合、認知症の人にとってスイッチプレート自体がどんなものなのかが把握し難い。これに対して、第３実施形態のスイッチプレート１Ｃによれば、操作ハンドル４３の表面４３ｂに「電球」の絵柄４３ｃと「電気」の文字４３ｄと「ｌｉｇｈｔ」の文字４３ｅと点字４３ｆとポッチ４３ｇが付されているため、特に認知症の人にとってスイッチプレート１Ｃがどんな機能を果たすものなのかが把握し易い。第３実施形態のその他の作用効果は、第１実施形態の作用効果と同様であるため、その説明を省略する。
【００３２】
以上、本考案に係るスイッチプレートの各実施形態について説明したが、本考案はこれらに限定されることなく、その趣旨を逸脱しない範囲で様々な変更が可能である。
例えば、図８に示す変形実施形態のスイッチプレート１Ｄのように、表面４０ｂに文字４０ｄ，４０ｅと点字４０ｆとポッチ４０ｇのみが付されているものであっても良い。即ち、図４に示す第１実施形態の操作ハンドル４０の表面４０ｂに対して、「風呂」の絵柄４０ｃが無いものであっても良い。
【００３３】
また、各実施形態において、操作ハンドルの表面にのみ文字及び絵柄を付したが、操作ハンドルの表面と外側プレートの表面に文字及び絵柄を付しても良い。
また、第２実施形態において、操作ハンドル４０Ａは上下に２つ分割されているが、分割される数は３つ以上であっても良く、左右に分割されていても良い。
また、各文字の言語は、日本語及び英語以外の言語であっても良く、ひらがな、カタカナ、書体、縦書き等は適宜変更可能である。また、操作ハンドルの表面に付されている文字、絵柄の種類及び配置は各実施形態で説明したものに限定されず、適宜変更可能である。
【符号の説明】
【００３４】
１，１Ａ，１Ｂ，１Ｃ，１Ｄ          スイッチプレート
４０，４０Ａ，４０Ｂ，４０Ｃ        操作ハンドル
４０ｂ，４１ｂ，４２ｂ，４３ｂ      表面
４０ｃ，４１ｃ、４２ｃ，４３ｃ      絵柄
４０ｄ，４１ｄ，４２ｄ，４３ｄ      文字
４０ｅ，４１ｅ，４２ｅ，４３ｅ      文字
４０ｆ，４１ｆ，４２ｆ，４３ｆ      点字
４０ｇ，４１ｇ、４２ｇ，４３ｇ      ポッチ
４１                                第１操作ハンドル
４２                                第２操作ハンドル
５０                                外側プレート
６０                                パソコン
７０                                インクジェットプリンタ
【図１】
0003188049.tif 000003
【図２】
0003188049.tif 000004
【図３】
0003188049.tif 000005
【図４】
0003188049.tif 000006
【図５】
0003188049.tif 000007
【図６】
0003188049.tif 000008
【図７】
0003188049.tif 000009
【図８】
0003188049.tif 000010
【図９】
0003188049.tif 000011